(57)【特許請求の範囲】
【請求項１】
光枠パターンを持つ略矩形状の接眼レンズを可動自在に保持してパララックス調整を行うアルバダ式ファインダのパララックス調整機構であって、
前記接眼レンズを収容するための略矩形状の開口を持つ枠体と、この枠体の一方の互いに隣接する２つの側辺の一方に螺着されて前記接眼レンズの該当側辺に当接させられた１つのねじ要素と、前記枠体の一方の互いに隣接する２つの側辺の他方に螺着されて前記接眼レンズの該当側辺に当接させられた２つのねじ要素と、前記接眼レンズの４つの側辺のうち前記ねじ要素と当接させられない残りの２つの側辺とその２つの側辺間の角部に対応する前記略矩形状の開口の角部との間に設けられた略Ｖ字形ばね要素とを具備し、前記略Ｖ字形ばね要素の２つの脚部が前記接眼レンズの残り２つの側辺に摺動自在に係合させられ、前記略Ｖ字形ばね要素の鋭角状の角部が前記略矩形状の開口の該当角部に回動自在に摺動係合させられることを特徴とするパララックス調整機構。
【請求項２】
請求項１に記載のパララックス調整機構において、前記Ｖ字形ばね要素の双方の脚部の各先端部が外方に逸れるように折り曲げられ、その折曲げ箇所が前記接眼レンズの該当側辺に摺動自在に係合させられることを特徴とするパララックス調整機構。
【請求項３】
請求項１に記載のパララックス調整機構において、前記Ｖ字形ばね要素の双方の脚部の各先端部が外方に逸れるように湾曲させられ、その湾曲箇所が前記接眼レンズの該当側辺に摺動自在に係合させられることを特徴とするパララックス調整機構
【発明の詳細な説明】
【０００１】
【発明の属する技術分野】
本発明は撮影光学系とファインダ光学系とを持つカメラに不可避的に伴うパララックスの調整機構に関し、一層詳しくはアルバダ式ファインダのパララックス調整機構に関する。
【０００２】
【従来の技術】
周知のように、アルバダ式のファインダ光学系と撮影光学系とを持つカメラにあっては、撮影光学系の視野とファインダ光学系の視野とのずれ、所謂パララックスが不可避的に伴う。しかしながら、撮影光学系の視野とファインダ光学系の視野とが互いに一致する箇所があり、この箇所は例えばカメラから0.6mの前方に設定される。
【０００３】
一方、ファインダ光学系の接眼レンズから覗いた際の視野には２つの光枠が観察され、一方の光枠は大きく、他方の光枠は小さくされる。撮影者がカメラから0.6m以上遠方の被写体を撮影するとき、大きい方の光枠が用いられ、撮影者がカメラから0.6m以内の被写体を撮影するとき、小さい方の光枠が用いられる。このようにして、撮影光学系の視野とファインダ光学系の視野とのずれができるだけ小さく抑えられるようにしている。
【０００４】
ところで、上述したようなカメラの組立時、撮影光学系の視野とファインダ光学系の視野とをカメラから0.6m前方の箇所に正確に一致させるために、ファインダ光学系の接眼レンズをその光軸に対して直角な平面内で微調整することが必要である。従来のパララックス調整機構として、ファインダ光学系の接眼レンズを収容させる略矩形状の枠体の４つの側辺にねじ要素を螺着させて該接眼レンズの側辺に当接させ、それらねじ要素を微細に動かしてパララックス調整を行った後に接眼レンズを枠体に接着固定させるという方法が知られている。
【０００５】
しかしながら、上述の場合には、環境変化や径年変化のために、撮影光学系の視野とファインダ光学系の視野とがカメラから0.6m前方の箇所に正確に一致し得なくなった際にパララックス調整を再度行い得ないという点が問題となる。
【０００６】
そこで、枠体の一方の互いに隣接する２つの側辺の一方に１つのねじ要素を螺着させて接眼レンズの該当側辺に当接させ、かつ枠体の一方の互いに隣接する２つの側辺の他方に２つのねじ要素を螺着させて接眼レンズの該当側辺に当接させると共に、枠体の他方の互いに隣接する２つの側辺とそれら側辺に対応する接眼レンズの側辺とのそれぞれの間にばね要素を介在させて、上述したねじ要素を適宜動かすことにより、パララックス調整を行うことが提案されている。
【０００７】
【発明が解決しようとする課題】
このようなパララックス調整機構においては、パララックス調整を繰り返し行い得るという利点はあるが、しかしその調整を確実に行い得ないという不都合がある。詳述すると、接眼レンズの微細な移動時、ばね要素と接眼レンズと摩擦のためにその間で相対的な摺動運動が生じずに、該ばね要素が単に弾性変形させられるということが起き得る。その後、何かの拍子にかかる弾性変形による弾性力が開放されたとき、ばね要素と接眼レンズとの間に相対変位が発生して、パララックス調整がずれるという事態になる。
【０００８】
従って、本発明の目的は、上述したようなタイプのパララックス調整機構であって、信頼度の高いパララックス調整を行い得るように構成されたパララックス調整機構を提供することである。
【０００９】
【課題を解決するための手段】
本発明によるアルバダ式ファインダのパララックス調整機構は光枠パターンを持つ略矩形状の接眼レンズを可動自在に保持してパララックス調整を行うものであって、接眼レンズを収容するための略矩形状の開口を持つ枠体と、この枠体の一方の互いに隣接する２つの側辺の一方に螺着されて接眼レンズの該当側辺に当接させられた１つのねじ要素と、枠体の一方の互いに隣接する２つの側辺の他方に螺着されて接眼レンズの該当側辺に当接させられた２つのねじ要素と、接眼レンズの４つの側辺のうちねじ要素と当接させられない残りの２つの側辺とその２つの側辺間の角部に対応する略矩形状の開口の角部との間に設けられた略Ｖ字形ばね要素とを具備し、略Ｖ字形ばね要素の２つの脚部が接眼レンズの残りの２つの側辺に摺動自在に係合させられ、略Ｖ字形ばね要素の角部が略矩形状の開口の該当角部に回動自在に摺動係合させられることを特徴とするものである。
【００１０】
本発明によるパララックス調整機構において、好ましくは、Ｖ字形ばね要素の双方の脚部の各先端部が外方に逸れるように折り曲げられるかあるいは湾曲させられ、その折曲げ箇所あるいは湾曲箇所が接眼レンズの該当側辺に摺動自在に係合させられる。
【００１１】
【発明の実施の形態】
以下に、添付図面を参照して、本発明によるアルバダ式ファインダのパララックス調整機構の一実施形態について説明する。
【００１２】
図１を参照すると、そこにはアルバダ式ファインダ光学系の一例が示される。同図に示すように、アルバダ式ファインダ光学系は負のパワーを持つ第１のレンズＬ１、負のパワーを持つ第２のレンズＬ２及び正のパワーを持つ略矩形状の接眼レンズＬ３から成り、これらレンズＬ１、Ｌ２及びＬ３は被写体面Ｏから撮影者の眼Ｅに向けて順に配列される。
【００１３】
図２に示すように、接眼レンズＬ３は凸面及び平坦面を有し、その凸面は撮影者の眼Ｅと向かい合い、また接眼レンズＬ３の平坦面には第１の光枠パターンＰ１、第２の光枠パターンＰ２及び測距枠パターンＰ３が適当な金属材料を真空蒸着させることにより形成される。一方、第２のレンズ２の一方の凹面、即ち接眼レンズＬ３と向かい合う凹面はハーフミラーとして形成される。
【００１４】
従って、外光が接眼レンズＬ３の平坦面側に入射した際、その外光の一部は図２に示すように第１の光枠パターンＰ１、第２の光枠パターンＰ２及び測距枠パターンＰ３で反射させられ、次いで第２のレンズの凹面で再び反射させられた後に接眼レンズＬ３を透過する。かくして、接眼レンズＬ３を覗く撮影者の視野には図３に示すような第１の光枠パターンＰ１、第２の光枠パターンＰ２及び測距枠パターンＰ３が現れることになる。
【００１５】
図４を参照すると、撮影光学系の視野角即ち画角が実線で示され、またファインダ光学系の視野角即ち画角が破線で示される。同図に示すように、撮影光学系の画角とファインダ光学系の画角とのずれが所謂パララックスと言われるが、本実施形態では、カメラから0.6m前方箇所で双方の画角が一致させられる。撮影者がカメラから0.6m以上遠方の被写体を撮影するとき、第１の光枠（Ｐ１）、即ち大きい方の光枠が用いられ、撮影者がカメラから0.6m以内の被写体を撮影するとき、第２の光枠（Ｐ２）、即ち小さい方の光枠が用いられる。このようにして、撮影光学系の視野とファインダ光学系の視野とのずれができるだけ小さく抑えられるように、第１の光枠（Ｐ１）及び第２の光枠（Ｐ２）が設定される。
【００１６】
ところが、既に述べたように、カメラの組立時、撮影光学系の画角とファインダ光学系の画角とをカメラから0.6m前方の箇所に正確に一致させるために、ファインダ光学系の接眼レンズをその光軸に対して直角な平面内で微調整することが必要である。
【００１７】
図５を参照すると、本発明によるパララックス調整機構が示される。同図において、参照符号１０はフレーム枠を示し、このフレーム枠１０はカメラのフレームの一部を成すものである。フレーム枠１０は下側フレーム枠部分１２と、この下側フレーム枠部分１２に対して着脱自在に組み立て得るようになった上側フレーム枠部分１４とから成る。双方のフレーム枠部分１２及び１４が組み立てられると、接眼レンズＬ３を収容するようになった枠体が形成され、この枠体によって略矩形状の開口１６が郭成される。
【００１８】
枠体の開口１６内に接眼レンズＬ３が配置され、この接眼レンズ３の左右方向の側辺のそれぞれには、図６及び図７に示すように、そから突出した耳部１８及び２０が設けられる。耳部は１８及び２０は接眼レンズＬ３と同じ光学ガラスから一体的に形成されてもよいし、あるいは耳部１８及び２０を別体として形成されてもよく、その場合には耳部１８及び２０は接眼レンズＬ３の左右方向の側辺に適宜接着させられる。
【００１９】
図５に示すように、略矩形状の開口１６を郭成する枠体の一方の互いに隣接する２つの側辺の一方、即ち下方側辺には、ねじ要素２２が螺着させられて接眼レンズＬ３の該当側辺、即ち下方側辺に当接させられる。一方、略矩形状の開口１６を郭成する枠体の他方の互いに隣接する２つの側辺の他方、即ち左方側辺には２つのねじ要素２４及び２６が螺着されて接眼レンズＬ３の該当側辺、即ち左方側辺に当接させられる。
【００２０】
接眼レンズＬ３の４つの側辺のうちねじ要素２２とねじ要素２４及び２６とにと当接させられない残りの２つの側辺とその２つの側辺間の角部に対応する略矩形状の開口１６の角部との間には略Ｖ字形ばね要素２８が設けられる。図５から明らかなように、略Ｖ字形ばね要素２８の双方の脚部の各先端部は外方に逸れるように折り曲げられ、各脚部はその折曲げ箇所で接眼レンズの残り２つの側辺のうちの該当する側辺に摺動自在に係合させられる。即ち、略Ｖ字形ばね要素２８の上側脚部の折曲げ箇所は接眼レンズＬ３の上方側辺に摺動自在に係合させられ、またその下側脚部の折曲げ箇所は接眼レンズ３の右方側辺の耳部１８に摺動自在に係合させられる。一方、略Ｖ字形ばね要素２８の鋭角状となった角部には丸みが付けられ、その丸み付け角部は略矩形状の開口１６の該当角部に回動自在に摺動係合させられる。
【００２１】
なお、図５に示す実施形態では、略Ｖ字形ばね要素２８の下側脚部の折曲げ箇所は接眼レンズＬ３の右方側辺の耳部１８に摺動自在に係合させられるが、しかし必要に応じて耳部１８を省いて該折曲げ箇所を接眼レンズＬ３に右方側辺に直接的に摺動自在に係合させるようにしてもよい。
【００２２】
以上のようなパララックス調節機構にあっては、ねじ要素２２、２４及び２６のいずれかを動かしてパララックス調節を行う場合、略Ｖ字形ばね要素２８の双方の脚部は接眼レンズＬ３の動きに応じて弾性変形を受けるが、このとき略Ｖ字形ばね要素２８自体はその丸み付け角部を中心とするような態様で回動運動を行い得る。即ち、パララックス調整時、略Ｖ字形ばね要素２８は弾性変形を受けるだけでなくその回動運動によって接眼レンズＬ３の動きに追従するようになっている。
【００２３】
例えば、ねじ要素２２がねじ込まれるように動かされると、接眼レンズＬ３が上方に変位させられるが、このとき略Ｖ字形ばね要素２８はとき、その丸み付け角部を中心として時計方向に回動させられるので、接眼レンズＬ３の動き即ち変位が略Ｖ字形ばね要素２８の回動運動無しにその弾性変形だけで吸収されるようなことはない。従って、パララックス調整後に接眼レンズＬ３と略Ｖ字形ばね要素２８との間に従来のような相対変位が発生するというような事態は回避され得る。
【００２４】
なお、好ましくは、略Ｖ字形ばね要素のそれぞれの係合部の摩擦を可及的に排除するために適当な潤滑剤が施されてもよいし、必要な箇所に低摩擦材料をコートすることもできる。また、上述の実施形態では、略Ｖ字形ばね要素２８の双方の脚部の各先端部は外方に逸れるように折り曲げられているが、単に該先端部を該方に逸れるように湾曲させることもできる。一方、略Ｖ字形ばね要素２８の双方の脚部の各先端部を外方に逸れるように折り曲げたり湾曲させたりせずに、その先端部を接眼レンズＬ３の側辺に当接させるように係合することも可能であり、このとき好ましくは該先端部には丸みが与えられる。
【００２５】
【発明の効果】
以上の記載から明らかなように、本発明によるパララックス調整機構にあっては、パララックス調整時、略Ｖ字形ばね要素は弾性変形を受けるだけでなくその回動運動によって接眼レンズの動きに追従するようになっているので、信頼度の高いパララックス調整が可能であり、そのパララックス調整を再度行うというような事態は回避され得る。
【図面の簡単な説明】
【図１】本発明によるパララックス調整機構を適用すべきアルバダ式ファインダ光学系を示す斜視図である。
【図２】図１のアルバダ式ファインダ光学系の接眼レンズをそれに関連した負のレンズと共に示す部分拡大斜視図である。
【図３】図１及び図２のアルバダ式ファインダを通して見える視野内の光枠だけを示す図である。
【図４】カメラのパララックス調整を説明するための模式図である。
【図５】本発明によるパララックス調整機構を示す断面図である。
【図６】図５のパララックス調整機構内に組み込まれる接眼レンズの平面図である。
【図７】図６の接眼レンズの立面図である。
【符号の説明】
Ｌ１  第１のレンズ
Ｌ２  第２のレンズ
Ｌ３  接眼レンズ
Ｐ１  第１の光枠パターン
Ｐ２  第２の光枠パターン
Ｐ３  測距枠パターン
１０  フレーム枠
１２  下側フレーム枠部分
１４  上側フレーム枠部分
１６  開口
１８・２０  耳部
２２・２４・２６  ねじ要素
２８  略Ｖ字形ばね要素
【図１】
0003934230.tif 000002
【図２】
0003934230.tif 000003
【図３】
0003934230.tif 000004
【図４】
0003934230.tif 000005
【図５】
0003934230.tif 000006
【図６】
0003934230.tif 000007
【図７】
0003934230.tif 000008